(57)【要約】【課題】ハウジングに設置されるときに、ハウジングに対して回転してしまうことを防止することができる端子を提供する。【解決手段】端子接触部１１を有する導電性の端子本体７と、端子接触部１１の後端側に配置され、端子本体７をハウジング５に設置する端子保持部２５を有する絶縁部材９とを備え、ハウジング５に設置される端子１であって、ハウジング５に設けられている係止部３１に係合することでハウジング５に設置されるときに廻ってしまうことを防止する廻り防止部２９が、端子保持部２５に設けられている。【選択図】図１
2019220255.tif 000002
【特許請求の範囲】
【請求項１】
端子接触部を有する導電性の端子本体と、前記端子接触部の後端側に配置され、前記端子本体をハウジングに設置する端子保持部とを有する絶縁部材を備え、前記ハウジングに設置される端子であって、
前記ハウジングに設けられている係止部に係合することで前記ハウジングに設置されるときに廻ってしまうことを防止する廻り防止部が、前記端子保持部に設けられていることを特徴とする端子。
【請求項２】
請求項１に記載の端子であって、
前記ハウジングの係止部は、アーム部とこのアーム部の先端に設けられている係止爪部とを備えて構成されており、
前記廻り防止部は、前記ハウジングに設置される途中の状態で前記係止爪部に係合する第１の被係合部と、前記ハウジングへの設置が終了したきに前記係止爪部に係合し前記ハウジングからの抜け止めをする第２の被係合部とを備えて構成されていることを特徴とする端子。
【請求項３】
請求項２に記載の端子であって、
前記端子保持部には、前記ハウジングに設置されたときに、前記ハウジングと前記端子保持部との間をシールするシール部が設けられており、
前記ハウジングに設置するときの移動方向で見ると、前記ハウジングの係止部と前記廻り防止部とが前記シール部の内側に位置していることを特徴とする端子。
【請求項４】
請求項１〜請求項３のいずれか１項に記載の端子において、
前記端子本体の端子接触部の内側には、軸方向に連通空間部が形成されており、
前記絶縁部材は、前記端子接触部の先端より前方に突出する先端絶縁部と、前記連通空間部に配置され、前記先端絶縁部と前記端子保持部間を連結する連通樹脂部とを備えていることを特徴とする端子。
【請求項５】
円筒状部と、電線の芯線を保持する芯線保持部と、前記円筒状部と前記芯線保持部との間で前記円筒状部と前記芯線保持部とをつないでいる連結部とを備えた端子本体と、
前記端子本体の円筒状部の後端部と前記端子本体の連結部の前端部とに設けられ前記端子本体の円筒状部の後端部と前記端子本体の連結部の前端部とを覆っている後端絶縁部を備えた絶縁部材と、
を有し、前記後端絶縁部は、前記芯線保持部とは反対側に位置している第１の円柱状部位と、前記芯線保持部側に位置している第２の円柱状部位とを備えて構成されており、
前記第１の円柱状部位の前記芯線保持部とは反対側に位置している前側箇所には、前記第１の円柱状部位の中心軸と平行な一対の第１の平面状部が形成されており、前記一対の第１の平面状部はお互いが平行になっているとともに前記第１の円柱状部位の中心軸に対してお互いが対称になっており、
前記第１の円柱状部位の前記芯線保持部側に位置している後側箇所には、前記第１の平面状部位と平行な一対の第２の平面状部が形成されており、前記一対の第２の平面状部は前記第１の円柱状部位の中心軸に対してお互いが対称になっているとともに、前記一対の第２の平面状部間の距離の値は、前記一対の第１の平面状部間の距離の値よりも小さくなっていることを特徴とする端子。
【発明の詳細な説明】
【技術分野】
【０００１】
本発明は、先端に絶縁部を備えた端子に関する。
【背景技術】
【０００２】
従来、ハウジングに設置されて使用される端子であって、軸方向に連通空間部が形成された端子接触部を有する導電性の端子本体と、端子接触部の先端より前方に突出する先端絶縁部と、端子接触部の後端側に配置され端子本体を固定する端子保持部と、連通空間部に配置され先端絶縁部と端子保持部間を連結する連通樹脂部とを備えて構成されている端子が知られている（たとえば、特許文献１参照）。
【先行技術文献】
【特許文献】
【０００３】
【特許文献１】特開２０１４−７２１６９号公報
【発明の概要】
【発明が解決しようとする課題】
【０００４】
ところで、従来の端子には、端子本体、先端絶縁部および端子保持部が円柱状に形成されているので、従来の端子が設置されるハウジングとの間でのシール性（防水性）は確保することができるが（端子保持部に円環状のシール部材を設置等することで確保することができるが）、ハウジングに対して回転（上記円柱の中心軸まわりで回転）してしまう場合がある。
【０００５】
本発明は、ハウジングに設置されて使用される端子であって、ハウジングに設置されるときに、ハウジングに対して回転してしまうことを防止することができる端子を提供することを目的とする。
【課題を解決するための手段】
【０００６】
本発明は、端子接触部を有する導電性の端子本体と、前記端子接触部の後端側に配置され、前記端子本体をハウジングに設置する端子保持部とを有する絶縁部材を備え、前記ハウジングに設置される端子であって、前記ハウジングに設けられている係止部に係合することで前記ハウジングに設置されるときに廻ってしまうことを防止する廻り防止部が、前記端子保持部に設けられている端子である。
【発明の効果】
【０００７】
本発明によれば、ハウジングに設置されて使用される端子であって、ハウジングに設置されるときに、ハウジングに対して回転してしまうことを防止することができるという効果を奏する。
【図面の簡単な説明】
【０００８】
【図１】本発明の実施形態に係る端子が設置されているハウジングの側面図である。
【図２】図１におけるＩＩ矢視図である。
【図３】図２におけるＩＩＩ矢視図である。
【図４】図２におけるＩＶ−ＩＶ断面図である。
【図５】図３におけるＶ−Ｖ断面図である。
【図６】本発明の実施形態に係る端子と、ハウジングの分解斜視図である。
【図７】図４におけるＩＶ部の拡大図である。
【図８】本発明の実施形態に係る端子の斜視図である。
【図９】図８におけるＩＸ矢視図である。
【図１０】図８におけるＸ−Ｘ断面図である。
【発明を実施するための形態】
【０００９】
本発明の実施形態に係る端子１は、たとえば、充電インレット装置３のコネクタ２の端子（オス端子）として使用されるものであり、図１〜図７等で示すように、充電インレット装置３のコネクタ２のハウジング５に設置されて使用されるものである。
【００１０】
充電インレット装置３は、車両（図示せず）に設置されて使用される。充電インレット装置３は、充電スタンド等の充電コネクタ（図示せず）に嵌合され、充電コネクタを介して受電するようになっている。
【００１１】
ここで、説明の便宜のために、空間における所定の一方向を前後方向とし、前後方向に対して直交する所定の一方向を横方向とし、前後方向と横方向とに対して直交する方向を上下方向とする。
【００１２】
オス端子１は、図８〜図１０で示すように、導電性の端子本体７と、端子本体７に固定された絶縁樹脂部９とを備えて構成されている。端子本体７は、所定形状の導電性プレートをプレス加工で折り曲げることによって形成されている。
【００１３】
端子本体７は、相手端子のメス端子（図示せず）が接触する端子接触部１１と、電線接続部１３と、これらを連結する繋ぎ部１５とを備えて構成されている。端子接触部１１は、軸方向（前後方向）に連通空間部である貫通孔１７が設けられた筒状（円筒状）に形成されている。電線接続部１３は、一対の加締片１６を有し、一対の加締片１６によって中継電線２１が加締め接続されている（図６参照）。
【００１４】
絶縁樹脂部（絶縁部材）９は、端子接触部１１の先端（前端）より前方に突出している先端絶縁部２３と、端子接触部１１の後側に配置され端子１をハウジング（樹脂製で一体成形されたハウジング）５に一体的に設置するための端子保持部２５と、端子接触部１１の貫通孔１７に配置され（端子接触部１１の内側に配置され）、先端絶縁部２３と端子保持部２５間を連結する連通樹脂部２７とを備えて構成されている。
【００１５】
また、端子１の端子保持部２５には、図７〜図１０で示すように、廻り止め部（廻り防止部）２９が設けられている。端子１の廻り止め部２９は、端子１がハウジング５に設置されるときに（たとえば、設置されている途中や設置が終了した時点で）ハウジング５に設けられている係止部（ロック爪）３１に係合するようになっている。そして、端子１が筒状の端子接触部１１の中心軸まわりで廻ってしまうことを防止するようになっている。
【００１６】
なお、端子接触部１１の中心軸は、ハウジング５に端子１を設置するときにおける端子１の移動方向（前後方向）に延びている。
【００１７】
ハウジング５の係止部３１は、ハウジングの本体部３３から延出しており、可撓性を備えた棒状のアーム部３５とこのアーム部３５の先端に設けられている係止爪部３７とを備えて構成されている。
【００１８】
廻り止め部２９は、第１の被係合部（第１の被係止部）３９と第２の被係合部（第２の被係止部）４１とを備えて構成されている。第１の被係合部は、端子１がハウジング５に設置される途中の状態で係止爪部３７に係合して、端子１の廻り止めをするようになっている。第２の被係合部４１は、端子１のハウジング５への設置が終了したきに係止爪部３７に係合し、端子１のハウジング５からの抜け止めをするようになっている。
【００１９】
また、端子１のハウジング５への設置が終了したきに、ハウジング５の係止部３１の係止爪部３７が第２の被係合部４１に係合していることで、端子１の抜け止めに加えて、端子１の廻り止めが防止されている。
【００２０】
なお、端子１のハウジング５への設置が終了したきに、ハウジング５の係止部３１のアーム部３５が第１の被係合部３９に係合（接触）していることで、端子１の廻り止めが防止される構成であってもよい。
【００２１】
また、端子保持部２５には、端子１がハウジング５に設置されたときに、ハウジング５と端子保持部２５との間をシールするシール部（止水部）４３が設けられている。
【００２２】
シール部４３は、端子１をハウジング５に設置するときの端子１の後側から前側へ向かう移動方向（ハウジングに対する端子の移動方向）で、廻り止め部２９よりも後側に設けられている。
【００２３】
ハウジング５への端子１の設置をしているときやハウジング５への端子１の設置が終了したときに、ハウジング５に設置するときの端子１の移動方向（前後方向）で見ると、ハウジング５の係止部３１と廻り止め部２９とがシール部４３の内側に位置している。
【００２４】
ここで、端子１についてさらに詳しく説明する。端子１は、端子本体７と絶縁部材９とを備えて構成されている。
【００２５】
端子本体７は、円筒状部（端子接触部）１１と、電線（中継電線）２１の芯線２２を保持する芯線保持部（電線接続部１３の一部）４５と、電線２１の被覆（芯線２２を覆っている被覆）を保持する被覆保持部（電線接続部１３の他の一部）４７と、円筒状部１１と芯線保持部４５との間で円筒状部１１と芯線保持部４５とをつないでいる連結部（繋ぎ部）１５とを備えて構成されている。
【００２６】
絶縁部材９は、前端絶縁部（前側絶縁部；先端絶縁部）２３と中間絶縁部（連通樹脂部）２７と後端絶縁部（後側絶縁部；端子保持部）２５とを備えて構成されている。
【００２７】
前端絶縁部２３は、円柱状に形成されており、端子本体７の円筒状部１１の前端（連結部１５や芯線保持部４５とは反対側の端）から僅かに突出している。中間絶縁部２７は、端子本体７の円筒状部１１の内部に充填されている。
【００２８】
後端絶縁部２５は、端子本体７の円筒状部１１の後端部と端子本体７の連結部１５の前端部とに設けられており、端子本体７の円筒状部１１の後端部と端子本体７の連結部１５の前端部とを覆っている。
【００２９】
前端絶縁部２３の外径の値と端子本体７の円筒状部１１の外径の値とはお互いが等しくなっており、前端絶縁部２３の中心軸と端子本体７の円筒状部１１の中心軸とはお互いが一致している。前端絶縁部２３と中間絶縁部２７と後端絶縁部２５とは一体化している。
【００３０】
後端絶縁部２５は、前端絶縁部２３側（前側）に位置している第１の円柱状部位４９と、芯線保持部４５側（後側）に位置している第２の円柱状部位５１とを備えて構成されている。
【００３１】
第１の円柱状部位４９の外径は、端子本体７の円筒状部１１の外径よりも大きくなっており、第２の円柱状部位５１の外径は、第１の円柱状部位４９の外径よりも大きくなっている。第１の円柱状部位４９の中心軸と第２の円柱状部位５１の中心軸とは、お互いが一致しているともに、前端絶縁部２３の中心軸や端子本体７の円筒状部１１の中心軸と一致している。
【００３２】
第１の円柱状部位４９の前端絶縁部２３側（前側）に位置している前側箇所には、第１の円柱状部位４９の中心軸と平行な一対の第１の平面状部５３が形成されている。一対の第１の平面状部５３は第１の被係合部３９を形成している。また、一対の第１の平面状部５３はお互いが平行になっているとともに第１の円柱状部位４９の中心軸に対してお互いが対称なところに位置している（中心軸からの距離がお互いに等しくなっている）。
【００３３】
第１の円柱状部位４９の芯線保持部４５側（後側）に位置している後側箇所には、第１の平面状部５３と平行な一対の第２の平面状部５５が形成されている。一対の第２の平面状部５５は第２の被係合部４１を形成している。また、一対の第２の平面状部５５は第１の円柱状部位の中心軸に対してお互いが対称になっているとともに、一対の第２の平面状部５５間の距離の値は、一対の第１の平面状部５３間の距離の値よりも小さくなっている。
【００３４】
第２の円柱状部位５１の前後方向の中間部には、円環状の凹部５７が形成されている。円環状の凹部５７の中心軸と第２の円柱状部位５１の中心軸とはお互い一致している。円環状の凹部５７には、シール部４３を構成するＯリング等のシール材５９が設置されるようになっている。
【００３５】
端子１をハウジング５に設置するときや設置し終えた状態を、第１の円柱状部位４９や第２の円柱状部位５１の中心軸の延伸方向（前後方向；端子１をハウジング５に設置するときにおけるハウジング５に対する端子１の移動方向）で見ると、第２の円柱状部位５１の内側に、ハウジング５の係止部３１が位置している。また、係止部３１の間に、第１の平面状部５３や第２の平面状部５５が位置している。
【００３６】
ハウジング５は、上述したように、ハウジングの本体部３３と係止部３１とを備えて構成されている。
【００３７】
ハウジングの本体部３３の内側には、端子１や電線２１が入り込む空間６０が形成されている。空間６０は、円柱状の第１の部位６１と円柱状の第２の部位６３と円柱状の第３の部位６５と第４の部位６７とが前から後に向かってこの順にお互いがつながってならんでいる。なお、ハウジングの本体部３３の後端は開口している。
【００３８】
第１の部位６１の中心軸と第２の部位６３の中心軸と第３の部位６５の中心軸とはお互いが一致しているとともに、端子１が設置された状態で、第１の部位６１等の中心軸と円筒状部１１等の中心軸とはお互いが一致している。
【００３９】
第１の部位６１の内径は、端子１の円筒状部１１の外径よりも大きくなっており、第２の部位６３の内径は、第１の部位６１の内径よりも小さくなっており、第３の部位６５の内径は、第２の部位６３の内径よりも大きくなっている。
【００４０】
第２の部位６３の内径は、第１の円柱状部位４９の内径と等しいか、ごく僅かに大きくなっている。第３の部位６５の内径は、第２の円柱状部位５１の内径と等しいか、ごく僅かに大きくなっている。
【００４１】
ハウジング５の係止部３１は、第２の部位６３に設けられている。また、ハウジング５の係止部３１は、一対の第１の平面状部５３と一対の第２の平面状部５５とに対応して、１つの端子１に対して、第２の部位６３の上部に１つ、第２の部位６３の下部の１つ設けられている（一対で設けられている）。つまり、２つの端子１が設置される態様では、１つのハウジング５に４つの係止部３１が設けられている。
【００４２】
まず、上側の係止部３１Ａについて説明する。係止部３１Ａは、片持ち梁状に形成されており、第１の部位６１と第２の部位６３との境界のところよりも僅かに後側の部位の箇所から後方に向かって延出している。係止部３１Ａの先端（後端）は、第２の部位６３と第３の部位６５との境界のところよりも僅かに前側に位置している。また、係止部３１Ａのまわりには、係止部３１Ａをハウジングの本体部３３から隔つための（係止部３１Ａを形作っている）空隙６９が形成されている。
【００４３】
係止部３１Ａのアーム部３５は、矩形な平板状に形成されており、厚さ方向が上下方向と一致し、幅方向が横方向と一致しており、長手方向（延出方向）が前後方向と一致している。係止部３１Ａのアーム部３５の基端（前端）は、ハウジングの本体部３３と一体化している。
【００４４】
係止部３１Ａの係止爪部３７は、係止部３１Ａのアーム部３５の先端（後端）に設けられている。また、上側の係止部３１Ａの係止爪部３７は、係止部３１Ａのアーム部３５よりも、端子１側（下側；円柱状の第２の部位６３の中心軸側）に突出している。
【００４５】
係止部３１Ａのアーム部３５の厚さ寸法の値は、係止部３１Ａのアーム部３５の幅寸法の値よりも小さく、係止部３１Ａのアーム部３５の幅寸法の値は、係止部３１Ａのアーム部３５の長さ寸法の値よりも小さくなっている。
【００４６】
これにより、係止部３１Ａのアーム部３５は、たとえば、係止部３１Ａの係止爪部３７が上下方向に力を受けると、片持ち梁の態様で上下方向に撓み、力を除くと復元するようになっている。
【００４７】
係止部３１Ａ（アーム部３５、係止爪部３７）の幅寸法の値は、端子保持部２５の第１の円柱状部位４９に設けられている第１の平面状部５３の幅寸法（横方向の寸法）の値とほぼ等しくなっている。
【００４８】
下側の係止部３１Ｂや下側の空隙６９は、上側の係止部３１Ａと同様に構成されており、円柱状の第２の部位６３の中心軸（中心軸を含み上下方向に対して直交する平面）に対して対称に配置されている。
【００４９】
そして、端子１をハウジング５に設置している途中の状態では、係止部３１Ａの係止爪部３７が、端子保持部２５の第１の円柱状部位４９の第１の平面状部（上側の平面状部）５３に接触して、係止部３１Ａのアーム部３５が上方に撓むようになっている。
【００５０】
同時に、係止部３１Ｂの係止爪部３７が、端子保持部２５の第１の円柱状部位４９の第１の平面状部（下側の平面状部）５３に接触して、係止部３１Ｂのアーム部３５が下方に撓むようになっている。
【００５１】
このとき、係止爪部３７と第１の平面状部５３とは、たとえば線接触（第１の円柱状部位４９の横方向の全長にわたって延びている直線状の部位でお互いが接触）しており、端子１が一対の係止部３１で付勢力をもって挟まれ、端子１のハウジング５に対する廻り止めがされるようになっている。
【００５２】
端子１をハウジング５に設置し終えた状態では、係止部３１Ａのアーム部３５が復元し、係止部３１Ａの係止爪部３７が、第１の円柱状部位４９の上側の第２の平面状部５５のところに入り込み、同時に、係止部３１Ｂのアーム部３５が復元し、係止部３１Ｂの係止爪部３７が、第１の円柱状部位４９の下側の第２の平面状部５５のところに入り込み、端子１のハウジング５からの抜け止めがされるようになっている。
【００５３】
なお、端子１をハウジング５に設置し終えた状態では、係止爪部３７と第２の平面状部５５とがたとえば線接触しており、ハウジング５に対する端子１の廻り止めがされるようになっている。さらに、端子１をハウジング５に設置し終えた状態で、アーム部３５が、第１の平面状部５３と面接触する構成であってもよい。そして、端子１の廻り止めがされるようになっていてもよい。
【００５４】
また、コネクタ２には、図６で示すように、リヤホルダ７１とシールキャップ７３とシリコーン充填部７５とシールドシェル７７とシールドリング７９と編組線８１とが設けられている。
【００５５】
リヤホルダ７１は、ハウジング５に一体的に設置され、ハウジング５とともに、端子１から下側に延出している電線２１を保持するようになっている。シールキャップ７３は、シリコーン充填部７５を形成するために端子１から下側に延出している電線２１の途中に設けられており、シリコーン充填部７５は、端子１の端子本体７の周囲の空間で形成されており、この空間に、シリコーン樹脂が充填されている。なお、シリコーン樹脂に代えて他の樹脂が充填されていてもよい。
【００５６】
シールドシェル７７は、ハウジング５の後側の開口部を塞ぐためにハウジング５に一体的に設置されるようになっている。シールドリング７９は、端子１やシールドシェル７７から延出している電線２１を覆う編組線８１を、シールドシェル７７に一体的に設置するために使用されるようになっている。
【００５７】
次に、コネクタ２の組立手順について説明する。
【００５８】
まず、端子１に電線２１を設置し、端子１の第２の円柱状部位５１の円環状の凹部５７に環状の凹部５７のところにシール材５９を設置し、この端子１をハウジング５に設置する。このとき上述したように、ハウジング５の係止部３１によって、端子１の廻り止めがされる。
【００５９】
続いて、ハウジング５にリヤホルダ７１とシールキャップ７３を設置する。この設置が終えた状態では、電線２１がシールキャップ７３を貫通しており、リヤホルダ７１とハウジング５との挟み込みによって、電線２１とシールキャップ７３とがハウジング５に一体的に設置されている。リヤホルダ７１もハウジング５に一体的に設置されている。
【００６０】
続いて、各図に示されている前後方向が鉛直方向になり、しかも、前側が下になり後側が上になるように、ハウンジング５や端子１等の姿勢を変える。そして、シリコーン充填部７５を形成すべく、熱硬化性の液状シリコーン樹脂を注入し、液状シリコーン樹脂を硬化させる。なお、液状シリコーン樹脂を注入したとき、シール材５９やシールキャップ７３やハウンジング５や端子１等の姿勢により、液状シリコーン樹脂がハウジング５の外部に漏れることがない。シリコーン充填部７５を設けたことにより、端子１の気密性が確保される。
【００６１】
続いて、シールドリング７９を用いて、シールドシェル７７に編組線８１を設置し、このシールドシェル７７をハウジング５等に一体的に設置する。シールドシェル７７は図示しないロック部によってハウジング５に一体的に設置される。
【００６２】
端子１によれば、ハウジング５に設けられている係止部３１に係合することで端子１の廻り止めをする廻り止め部２９が端子保持部２５に設けられているので、ハウジング５に設置されるときに、ハウジング５に対して回転することがなくなり、ハウジング５への設置がしやすくなり、また、ハウジング５への誤った態様での設置を無くすことができる。
【００６３】
また、端子１によれば、廻り止め部２９が、ハウジング５に端子１が設置される途中の状態で係止部３１の係止爪部３７に係合する第１の被係合部３９と、ハウジング５への端子１の設置が終了したきに係止部３１の係止爪部３７に係合し端子１のハウジング５からの抜け止めをする第２の被係合部４１とを備えて構成されているので、ハウジング５に設置される途中およびハウジング５への設置が終了した時点の両方で、ハウジング５に対して回転することがなくなる。
【００６４】
また、端子１において、端子１のハウジング５への設置が終了したきに、ハウジング５の係止部３１のアーム部３５が第１の被係合部３９に係合しているようにすれば、これによっても端子１の廻り止めが防止され。そして、端子１のハウジング５への設置が終了した時点での端子１の廻り止めを一層確実におこなうことができる。
【００６５】
また、端子１によれば、ハウジング５に端子１を設置するときの端子１の移動方向（前後方向）で見ると、ハウジング５の係止部３１と端子１の廻り止め部２９とがシール部４３の内側に位置しているので、ハウジング５の係止部３１とシール部４３との干渉を避けつつ、ハウジング５への端子１の設置が終了してときにおけるハウジング５と端子１との間のシール性を確保することができる。
【００６６】
また、係止部３１が設けられているハウジング５が一体成形されているので、ハウジング５の構成が簡素化されている。
【００６７】
なお、各図より理解されるように、１つもハウジング５には、複数（たとえば、２つ）の端子１が設置されるようになっているが、１つもハウジング５に１つの端子１が設置される構成であってもよい。
【００６８】
また、上記実施形態では、端子１を充電インレット装置３のコネクタ２に適用した場合を例示したが、これに限定されず、それ以外の端子に適用することができることはもちろんである。
【符号の説明】
【００６９】
１  端子
５  ハウジング
７  端子本体
９  絶縁部材
１１端子接触部（円筒状部）
１５  連結部
１７  連通空間部
２１  電線
２２  芯線
２３  先端絶縁部（前端絶縁部）
２５  端子保持部（後端絶縁部）
２７  連通樹脂部（中間絶縁部）
２９  廻り防止部
３１  係止部
３５  アーム部
３７  係止爪部
３９  第１の被係合部
４１  第２の被係合部
４３  シール部
４５  芯線保持部
４９  第１の円柱状部位
５１  第２の円柱状部位
５３  第１の平面状部
５５  第２の平面状部
【図１】
2019220255.tif 000003
【図２】
2019220255.tif 000004
【図３】
2019220255.tif 000005
【図４】
2019220255.tif 000006
【図５】
2019220255.tif 000007
【図６】
2019220255.tif 000008
【図７】
2019220255.tif 000009
【図８】
2019220255.tif 000010
【図９】
2019220255.tif 000011
【図１０】
2019220255.tif 000012